(57)【要約】【課題】洗浄性能を向上させるとともに、被洗浄物がセットできる容量の確保と本体の設置性を両立させる。【解決手段】洗浄水を複数の吐出経路へ選択的に供給する分水手段５と、洗浄水を流送する少なくとも２つの導水経路９を有する回転洗浄手段８と、前記分水手段５の吐出経路６と前記回転洗浄手段８の導水経路９とを連通する洗浄導水部１１と、前記洗浄導水部１１の上方に位置し前記回転洗浄手段８を回転自在に保持する軸受部１２とを備え、洗浄ポンプ４および分水手段５を前記回転洗浄手段８の軸受部１２から水平方向に離れた位置に配設したものである。【選択図】図１
2008253545.tif 000002
【特許請求の範囲】
【請求項１】
食器等の被洗浄物を収容する洗浄槽を設けた本体と、前記洗浄槽内の洗浄水を加圧する洗浄ポンプと、前記洗浄ポンプから吐出される洗浄水を複数の吐出経路へ選択的に供給する分水手段と、洗浄水を流送する少なくとも２つの導水経路を有する回転洗浄手段と、前記分水手段の吐出経路と前記回転洗浄手段の導水経路とを連通する洗浄導水部と、前記洗浄導水部の上方に位置し前記回転洗浄手段を回転自在に保持する軸受部とを備え、前記洗浄ポンプおよび前記分水手段は、前記回転洗浄手段の軸受部から水平方向に離れた位置に配設した食器洗い機。
【請求項２】
洗浄導水部は、軸受部の下方に同心円筒状に形成され、外周側経路は、分水手段の吐出経路側から本体の設置面に対して水平横方向に洗浄水が流入する流入口と、軸受側垂直方向にストレート部を設けた請求項１記載の食器洗い機。
【請求項３】
分水手段の複数の吐出経路の高さを略同一に設定した請求項１または２記載の食器洗い機。
【請求項４】
分水手段の複数の吐出経路は、洗浄導水部の内周側経路と連通する吐出経路を、外周側経路と連通する吐出経路の下部に設けた請求項１または２記載の食器洗い機。
【請求項５】
分水手段の複数の吐出経路は、洗浄導水部の外周部側と連通する吐出経路を、内周部側と連通する吐出経路の下部に設けた請求項１または２記載の食器洗い機。
【請求項６】
分水手段の少なくとも２つの吐出口を、同じ高さで水平方向に並列配置した請求項１〜５のいずれか１項に記載の食器洗い機。
【請求項７】
分水手段の吐出口は、洗浄導水部の流入口と同じ高さかそれより低い位置に設け、前記分水手段の流入口は、洗浄ポンプの吐出口と同じ高さかそれより高い位置に設けた請求項１〜６のいずれか１項に記載の食器洗い機。
【請求項８】
分水手段は、複数の吐出経路を切換える弁体を有し、前記弁体は、前記洗浄ポンプの運転、停止により、上下方向に動作しながら回転し、前記吐出経路への洗浄水の供給を切換えるとともに、洗浄導水部の流入口を前記分水手段の吐出口より低い位置に設けた請求項１〜７のいずれか１項に記載の食器洗い機。
【請求項９】
分水手段は、回転洗浄手段の導水経路への洗浄水の供給を切換えて、前記回転洗浄手段の回転方向が切換わるようにした請求項１〜８のいずれか１項に記載の食器洗い機。
【発明の詳細な説明】
【技術分野】
【０００１】
本発明は、食器の洗浄を行う食器洗い機に関するものである。
【背景技術】
【０００２】
従来、導水経路を切換えて洗浄水を噴射する一般的な食器洗い機は、図１５のような構成をしている。以下、その構成について説明する。
【０００３】
図に示すように、洗浄槽５１は底部に洗浄水を貯留し内部にカゴ５６にセットされた被洗浄物を収納する。洗浄ポンプ５３は洗浄槽５１の下方に設けられたモータ５２を駆動源として洗浄槽５１内の被洗浄物に洗浄水を噴射する。洗浄ノズル５５は洗浄槽５１の底部中央から突出した２重構造のパイプ部材５４に回転自在に支持されている。前記洗浄ノズル５５はその内部を仕切板５７により第１の洗浄水流路５８と第２の洗浄水流路５９に分けられている。前記パイプ部材５４の内中空部６０が、第１の洗浄水流路５８に連絡され、また、外中空部６１が第２の洗浄水流路５９に連絡されており、ソレノイド６２で駆動される切換弁６３により洗浄ポンプ５３から噴射される洗浄水を前記洗浄水流路５８、５９へ切換えるものである。
【０００４】
洗浄槽５１内の洗浄水は、洗浄ポンプ５３により洗浄ノズル５５に送られるが、途中、切換弁６３により第１の洗浄水流路５８と第２の洗浄水流路５９に分かれ、洗浄およびすすぎ工程中はいずれか一方が必ず閉められ、一定時間毎にソレノイド６２を駆動し切換弁６３を動かして第１および第２の洗浄水流路５８、５９の入口６４、６５を交互に開放する。洗浄ならびにすすぎ工程中において、第１および第２の洗浄水流路５８、５９より、交互に洗浄水を逆の噴射角を有して噴射すれば、洗浄ノズル５５は、両方向に回転し、被洗浄物に対して両面から洗浄水が入射することになり、被洗浄物全体を均等に効率よく洗浄ならびにすすぐことができる（例えば、特許文献１参照）。
【特許文献１】特開昭６３−４３６３６号公報
【発明の開示】
【発明が解決しようとする課題】
【０００５】
しかしながら、上記従来の食器洗い機では、第１および第２の洗浄水流路５８、５９を切換える切換弁６３や洗浄ポンプ４３が洗浄ノズル５５の下部に配置されることで、食器洗い機本体の高さが高くなり、吊り戸棚が設けられているシステムキツチン上への設置性が悪くなる。また、設置性を確保すると、洗浄槽５１内の高さが低くなり、被洗浄物を収納する容量が小さくなる等食器洗浄に必要な容積が十分に確保できないという課題を有していた。
【０００６】
本発明は、上記従来の課題を解決するもので、設置性と洗浄槽の被洗浄物をセットできる容量を確保することを目的とする。
【課題を解決するための手段】
【０００７】
前記従来の課題を解決するために、本発明の食器洗い機は、食器等の被洗浄物を収容する洗浄槽を設けた本体と、前記洗浄槽内の洗浄水を加圧する洗浄ポンプと、前記洗浄ポンプから吐出される洗浄水を複数の吐出経路へ選択的に供給する分水手段と、洗浄水を流送する少なくとも２つの導水経路を有する回転洗浄手段と、前記分水手段の吐出経路と前記回転洗浄手段の導水経路とを連通する洗浄導水部と、前記洗浄導水部の上方に位置し前記回転洗浄手段を回転自在に保持する軸受部とを備え、前記洗浄ポンプおよび前記分水手段は、前記回転洗浄手段の軸受部から水平方向に離れた位置に配設したものである。
【０００８】
これによって、複数の噴出口から効率よく洗浄水を被洗浄物に入射することができるとともに、回転洗浄手段の洗浄導水部に対して洗浄水を側方から供給することができ、回転洗浄手段を低い位置に配設することができ、被洗浄物がセットできる容量の確保と設置性を両立させることができる。
【発明の効果】
【０００９】
本発明の食器洗い機は、洗浄性能が向上するとともに、本体の設置性と被洗浄物がセットできる容量が確保できる。
【発明を実施するための最良の形態】
【００１０】
第１の発明は、食器等の被洗浄物を収容する洗浄槽を設けた本体と、前記洗浄槽内の洗浄水を加圧する洗浄ポンプと、前記洗浄ポンプから吐出される洗浄水を複数の吐出経路へ選択的に供給する分水手段と、洗浄水を流送する少なくとも２つの導水経路を有する回転洗浄手段と、前記分水手段の吐出経路と前記回転洗浄手段の導水経路とを連通する洗浄導水部と、前記洗浄導水部の上方に位置し前記回転洗浄手段を回転自在に保持する軸受部とを備え、前記洗浄ポンプおよび前記分水手段は、前記回転洗浄手段の軸受部から水平方向に離れた位置に配設したことにより、回転洗浄手段の下部に分水手段や洗浄ポンプ等の機構部が集中し、本体の高さが高くなることがないので、被洗浄物を複数の噴出口を有する回転洗浄手段で選択的に効率よく洗浄できるとともに、本体の設置性および食器等の被洗浄物のセット性を妨げることない。
【００１１】
第２の発明は、特に、第１の発明の洗浄導水部は、軸受部の下方に同心円筒状に形成され、外周側経路は、分水手段の吐出経路側から本体の設置面に対して水平横方向に洗浄水が流入する流入口と、軸受側垂直方向にストレート部を設けたことにより、洗浄導水部の外周側に流入した洗浄水は、経路に沿って流れながらストレート部で、流れの向きを変えるので、外周側の経路を均一に垂直方向へ流れるので、回転洗浄手段の導水経路に洗浄水を効率よく流送することができる。したがって、洗浄導水部に、水平横方向に洗浄水が流入し、回転洗浄手段へ軸受側垂直方向に洗浄水を流送することができるので、分水手段や洗浄ポンプを本体の設置面に対して水平方向に離して配置でき食洗機本体が垂直方向に高くなることなく、本体の設置性および被洗浄物のセット性を確保できる。
【００１２】
第３の発明は、特に、第１および第２の発明の分水手段の複数の吐出経路の高さを略同一に設定したことにより、吐出経路が上下に分離することがないので、分水手段、吐出経路、洗浄導水部といった分水機構部の設置による高さを低減でき、本体の設置性および被洗浄物のセット性を確保できる。
【００１３】
第４の発明は、特に、第１および第２の発明の分水手段の複数の吐出経路は、洗浄導水部の内周側経路と連通する吐出経路を、外周側経路と連通する吐出経路の下部に設けたことにより、洗浄水が吐出経路から洗浄導水部に流入する際に、内周側経路が、外周側経路を横断することがないので、外周側経路を流れる洗浄水は、圧力損失を低減でき、エネルギ効率よく洗浄できるものである。
【００１４】
第５の発明は、特に、第１および第２の発明の分水手段の複数の吐出経路は、洗浄導水部の外周部側と連通する吐出経路を、内周部側と連通する吐出経路の下部に設けたことにより、洗浄導水部の外周側経路が回転洗浄手段の導水経路に流入するまでの直線距離を確保でき、洗浄水を整流できるので、外周側経路内における洗浄水の圧力分布の均一性が改善され、経路内での圧力損失を低減することができる。したがって、洗浄効率が向上するものである。
【００１５】
第６の発明は、特に、第１〜第５のいずれか１つの発明の分水手段の少なくとも２つの吐出口を、同じ高さで水平方向に並列配置したことにより、吐出口が上下方向に分離することなく、吐出経路と連通することで、本体の高さが高くなることなく、本体の設置性と被洗浄物のセット性を確保し、効率よく洗浄することができるものである。
【００１６】
第７の発明は、特に、第１〜第６のいずれか１つの発明の分水手段の吐出口は、洗浄導水部の流入口と同じ高さかそれより低い位置に設け、前記分水手段の流入口は、洗浄ポンプの吐出口と同じ高さかそれより高い位置に設けたことにより、排水後、洗浄槽に残水が少なくなることで、次工程もしくは次使用時、給水による洗浄水の濁度が小さくなり、洗浄性能、すすぎ性能が向上するものである。
【００１７】
第８の発明は、特に、第１〜第７のいずれか１つの発明の分水手段は、複数の吐出経路を切換える弁体を有し、前記弁体は、前記洗浄ポンプの運転、停止により、上下方向に動作しながら回転し、前記吐出経路への洗浄水の供給を切換えるとともに、洗浄導水部の流入口を前記分水手段の吐出口より低い位置に設けたことにより、吐出経路を切換える弁体が回転しながら上下方向に動くスペースを確保できる。したがって、専用の電動駆動部を用いず、洗浄ポンプの運転、停止のみで吐出経路を切換えることが可能で、分水手段と洗浄導水部の設置高さをほぼ同一にすることで、食器洗い機本体の設置性、及び被洗浄物のセット性も確保でき、更に、分水手段によって、噴射角度、噴射位置等異なる噴射口を有する導水経路を切換えることができ、効率よく洗浄できる。
【００１８】
第９の発明は、第１〜第８のいずれか１つの発明の分水手段は、回転洗浄手段の導水経路への洗浄水の供給を切換えて、前記回転洗浄手段の回転方向が切換わるようにしたことにより、噴射位置および被洗浄物に向けて噴射される洗浄水の角度を切換えることが可能となり、被洗浄物に対して、いろいろな方向から洗浄水を噴射することができる。したがって、食器洗い機本体の設置性および被洗浄物のセット性が確保し、洗浄効率も向上する。
【００１９】
以下、本発明の実施の形態について、図面を参照しながら説明する。なお、本実施の形態によって本発明が限定されるものではない。
【００２０】
（実施の形態１）
図１、図２に示すように、食器洗い機の本体１には、蓋体（図示せず）で開閉可能な洗浄槽２を設け、食器等の被洗浄物は食器かご３にセットされ、洗浄槽２内に収容している。洗浄ポンプ４は、給水弁（図示せず）から洗浄槽２に供給された洗浄水を加圧して、被洗浄物に噴射する。分水手段５は複数の吐出経路６を有し、ソレノイドやステッピングモータ等の電動モータにより駆動される弁体７で、洗浄ポンプ４から吐出された洗浄水を各々の吐出経路６へ選択的に供給する。
【００２１】
回転洗浄手段８は、その内部に仕切りを設け、洗浄水を流送する少なくとも２つの導水経路９を有し、各々の導水経路９には、洗浄水を被洗浄物に噴射する噴出口１０を設けている。噴出口１０は、各導水経路９において、少なくとも１つは、位置や角度、形状等が異なるようにしている。洗浄導水部１１は、分水手段５の吐出経路６と回転洗浄手段８の導水経路９をそれぞれ連通している。
【００２２】
また、吐出経路６に、分岐経路を設けて別に設けた洗浄手段と連結してもよく、吐出経路６の一部が回転洗浄手段８と別の洗浄手段と連結し、弁体７で切換えてもよい。
【００２３】
軸受部１２は、洗浄導水部１１の上方に設けられ、回転洗浄手段８を保持し、回転洗浄手段８は、軸受部１２を中心に回転する。洗浄ポンプ４と分水手段５は、回転洗浄手段８の軸受部１２の軸心から、本体１の設置面に対して水平方向に離し、一定の距離をおいて配置している。
【００２４】
以上のように構成された食器洗い機について、以下その動作、作用を説明する。食器等の被洗浄物１３を食器かご３にセットして洗浄槽２に収納し、洗剤を投入した後、蓋体により本体１の開口部を閉塞し、運転を開始する。被洗浄物１３の汚れを落とす洗浄工程、付着した洗剤や残菜を流すすすぎ工程、そして被洗浄物１３に付着している水適を乾燥させる乾燥工程の順に実行する。
【００２５】
まず、洗浄工程は、制御手段１４により、給水弁を動作して所定量の洗浄水を洗浄槽２に給水する。この際、洗浄槽２内に設けたヒータ（加熱手段）１５は通電され、洗浄水は加温される。次に、洗浄ポンプ４により洗浄水を加圧し、分水手段５に供給する。分水手段５内の弁体７は、制御手段１４により所定の時間で、複数の吐出経路の中で、洗浄水を流送する吐出経路６のみを開口し、残りの吐出経路６は閉じる。開口された吐出経路６へ流送された洗浄水は、洗浄導水部１１へ流入し整流され、回転洗浄手段８の導水経路９に流入する。導水経路９に設けられた噴出口１０から洗浄水が被洗浄物１３に噴出される。
【００２６】
弁体７を切換えて他の吐出経路６へ洗浄水を流送すると、回転洗浄手段８の他の導水経路９から、噴射位置、噴射角度等が異なる噴流が被洗浄物１３に噴出される。洗浄水は、残さいフィルタ１６、排水口１７を通過し、洗浄ポンプ４を介して回転洗浄手段８から噴射され、洗浄槽２内を循環する。
【００２７】
所定時間の洗浄工程を終えると、汚れを含む洗浄水は排水ポンプ（図示せず）等により本体１外に排出され、給水弁から新たに洗浄水が供給される。洗浄ポンプ４を運転し、分水手段５を経て、回転洗浄手段８から再び洗浄水を噴射して、洗剤や残菜等の付着した被洗浄物１３のすすぎを行う。
【００２８】
所定時間運転した後、洗浄水を排出し、再び洗浄水を供給するという動作を繰り返し、このすすぎ工程は連続して２〜３回程度行う。最後に、洗浄水を機外に排出して、すすぎ工程は終了する。すすぎ工程終了後、乾燥工程を所定時間行い、運転を終了する。
【００２９】
以上のように、本実施の形態においては、洗浄ポンプ４と前記分水手段５は、前記回転洗浄手段８の軸受部１２の軸心から本体１の設置面に対して水平方向に離し、一定距離に配置することにより、回転洗浄手段８の下部に分水手段５や洗浄ポンプ４等の機構部が集中し、本体１の高さが高くなることがないので、複数の噴出口１０を有する回転洗浄手段８で任意の被洗浄物１３に対して複数方向から洗浄水を噴射させることができる。短時間で被洗浄物１３に付着した汚染物を洗浄することができ、高効率洗浄を実現するとともに、本体１の設置性および洗浄槽内の高さを確保して食器等の被洗浄物のセット性を妨げることがない。
【００３０】
（実施の形態２）
図３に示すように、洗浄導水部１８は、軸受部１９の下部に位置し、同心円筒状に形成され、内周側の経路２０と外周側の経路２１で構成されている。外周側の経路２１は、前記分水手段５の吐出経路６側から水平横方向に洗浄水が流入するように流入口２２を有し、軸受部１９側垂直方向にストレート部を設けている。流入口２２は、外周側の経路２１に対して、片側から流入するように設け、外周側の経路２１をらせん状に経路を構成し、らせん状経路の終点から滑らかにストレート部に連結してもよいし、両側から流入するように設け、ストレート部に連通してもよい。
【００３１】
以上のように、本実施の形態においては、洗浄導水部１８を同心円筒状に形成し、外周側の経路２１の水平横方向から軸受部１９側垂直方向のストレート部に洗浄水を流送することで、洗浄導水部１８の外周側から流入した洗浄水は、経路に沿って流れながらストレート部で、流れの向きを変え、整流されることで、外周側の経路２１を均一に垂直方向に流れ、回転洗浄手段８の導水経路９に洗浄水を効率よく流送することができる。
【００３２】
したがって、洗浄導水部１８には、水平横方向に洗浄水が流入し、回転洗浄手段８へ軸受１９側垂直方向に洗浄水を流送することで、分水手段５や洗浄ポンプ４を、本体１の設置面に対して水平方向に離して配置でき、食洗機本体１が垂直方向に高くなることなく、本体１の設置性および被洗浄物１３のセット性を確保できる。
【００３３】
また、図４に示すように、分水手段５の複数の吐出経路６を水平方向に並べて形成することで、複数の吐出経路６を同じ高さに配設することができ、吐出経路６が上下に分離することがなく、分水手段５、吐出経路６、洗浄導水部１８といった分水機構部の設置による高さ方向のスペース増加を低減でき、本体１の設置性および被洗浄物のセット性を確保できる。
【００３４】
また、分水手段５の複数の吐出経路６は、その高さ関係において、図５に示すように、洗浄導水部１８の内周側の経路２０と連通する吐出経路２２が、外周側の経路２１と連通する吐出経路２３の下部に位置し、吐出経路２２と連通する洗浄導水部１８の洗浄導水部流入口２４は、洗浄導水部１８の下方に設けられている。洗浄水が吐出経路から洗浄導水部１８に流入する際に、吐出経路２２が、吐出経路２３を遮って横断することがないので、吐出経路２３を流れる洗浄水は、圧力損失を低減でき、エネルギ効率よく洗浄できるものである。
【００３５】
また、吐出経路２２は、水平横方向から垂直上方に流路を変化させることで、洗浄導水部流入口２４と連通でき、内周側の経路２０のストレート部を長くでき、洗浄水の流れ分布を経路に対して均一にでき、洗浄水のエネルギロスを防げるものである。
【００３６】
また、図６に示すように、分水手段５の複数の吐出経路６は、その高さ関係において、洗浄導水部２５の外周部側と連通する吐出経路２９を、内周部側と連通する吐出経路２８の下部に設けてもよい。吐出経路２９から流送されてきた洗浄水は、洗浄導水部２５の外周側の経路２７で、内周側の経路２６を中心にして回転する方向に流れた後、もしくは回転しながら上方に傾斜して流がれる。その後、ストレート部の経路を通って、回転洗浄手段８の導水経路９に流入される。
【００３７】
したがって、洗浄導水部２５の外周側の経路２７が回転洗浄手段８の導水経路９に流入するまでのストレート部の距離を確保でき、洗浄水がより整流されるので、外周側の経路２７内における洗浄水の圧力分布の均一性が改善され、経路内での圧力損失を低減することができる。したがって、本体１の設置性および被洗浄物１３のセット性を確保でき、洗浄効率が向上するものである。
【００３８】
また、図７に示すように、分水手段５の吐出経路６と連通する少なくとも２つの吐出口３０を、同じ高さで水平方向に並列配置してもよい。吐出口３０が上下方向に分離することなく、吐出経路６と連通することで、分水手段５と吐出経路６、洗浄導水部１８を含む分水機構部の設置により、本体１の高さが高くなることなく、本体１の設置性と被洗浄物１３のセット性を確保するとともに、効率よく洗浄することができるものである。
【００３９】
（実施の形態３）
図８に示すように、分水手段５の吐出口３１は、洗浄導水部３２の流入口３３と同じ高さか、もしくはそれより低い位置に設けられ、分水手段５の流入口３４は、洗浄ポンプ４の吐出口３５と同じ高さか、もしくはそれより高い位置に設けられている。洗浄工程、すすぎ工程の運転の後で、洗浄水を入れ換えるために、排水ポンプ等で排水する。排水時に水の滞留部ができると、排水されずに残水として内部に残ってしまい、次行程での給水時に残水が給水されたきれいな水と混じってしまうことで、洗浄水の濁度が低下してしまう。
【００４０】
排水時には、洗浄槽２の中の洗浄水は、排水口から排水されるが、その一部、分水手段５や吐出経路６、洗浄導水部３２、回転洗浄手段８等の洗浄水は、洗浄時とは、逆方向に、洗浄導水部３２から吐出経路６を通って、分水手段５から排水口に流れ、排水される。その際、本実施の形態では、排水される方向に常に同じ高さか下方に洗浄導水部３２、吐出経路６、分水手段５を配置しているので、残水が滞留しない。したがって、排水後、洗浄槽２に残水が少なくなることで、次工程もしくは次使用時、給水による洗浄水の濁度が小さくなり、洗浄性能、すすぎ性能が向上するものである。
【００４１】
（実施の形態４）
図９は、分水手段５から回転洗浄手段８までの洗浄水の流路構成を示す。分水手段５は、複数の吐出経路６を切換える弁体７を有し、弁体７は、洗浄ポンプ４の運転、停止により、上下方向に動作しながら回転し、吐出経路６への洗浄水の供給を切換える構成で、洗浄導水部１１の流入口３６は、分水手段５の吐出口３７より低い位置に設けている。
【００４２】
図１０〜図１３は、分水手段５の詳細図である。図１０は、弁体７の開口部３８を示す平面図である。図１１に示したように、洗浄ポンプ４で加圧された洗浄水が流入する分水手段の流入口３９と複数の吐出経路６に各々連通した複数の吐出口４０を有するケーシング４１と、吐出口４０の少なくとも１つと対向するように開口部３８を設けるとともに、開口部３８が対向する吐出口４０が切換わるようにケーシング４１内で弁体７が回転動作する。
【００４３】
以下その動作、作用を説明する。洗浄ポンプ４が運転すると洗浄水が分水手段５の流入口３９より流入する。吐出口４０に対して進退自在な弁体７は、中央が貫通しており、弁体７の進退を案内する支持部４２に沿って、洗浄水の圧力により弁体７を上方に押し上げる。
【００４４】
その際、弁体７は上部係合部４３の傾斜に従って、回転及び略直動を伴った動作で上昇し、所定の吐出口４０が開口するように、弁体７の開口部３８と所定の吐出口４０が一致する位置で固定される（図１２）。その他の吐出口４０は、弁体７により密閉塞される。
【００４５】
続いて、洗浄ポンプ４を一旦停止すると、弁体７を下方から押し上げていた水圧が作用しなくなることから、弁体７は支持部４２に沿って、その自重で降下するが、この際、下部係合部４４の傾斜に従って回転しながら降下し、所定位置で停止する。再び、洗浄ポンプ４を運転すると、上部係合部４３の傾斜に係合され、弁体７は回転しながら上昇し、弁体７の開口部３８と、次の吐出口とが連通されることで、吐出経路６を切換えることができる。
【００４６】
なお、この係合部４３、４４に関しては螺旋形や三角などの形状に限定するものではなく、洗浄ポンプ４を断続的に運転する際に、洗浄ポンプ４を運転中に所定の吐出口４０と弁体７の開口部３８が一致すればよい。また、弁体７の外周部など、係合部の位置を限定するものでもない。
【００４７】
このように、専用の電動駆動部を設けなくても、洗浄ポンプ４の運転、停止で、弁体７を切換えることができ、吐出経路６を切換える弁体７が回転しながら上下方向に動くスペースを確保しても、洗浄導水部の流入口３６を分水手段の流出口３７より、本体の設置面に対して垂直方向に低い位置に設けることで、分水手段５と洗浄導水部１１の設置高さをほぼ同一にでき、食器洗い機本体１の設置性、及び被洗浄物１３のセット性を確保でき、更に、分水手段５によって、噴射角度、噴射位置等異なる噴射口を有する回転洗浄手段８の導水経路９を切換えることができ、効率よく洗浄できる。
【００４８】
（実施の形態５）
図１４に示すように、回転洗浄手段８の導水経路９が２つの場合、第１の導水経路４５と第２の導水経路４６は、回転洗浄手段８内で仕切られ、第１の導水経路４５もしくは第２の導水経路４６には、回転洗浄手段８が右回転に回転するように、推進方向に対して反対方向に噴射角度を有する少なくとも１つの噴出口を設けている。また、一方の第１の導水経路４５もしくは第２の導水経路４６は、回転洗浄手段８が左回転するように、噴出口を設けているものである。
【００４９】
以下その動作、作用を説明する。洗浄ポンプ４により噴出された洗浄水は、分水手段５により、第１の導水経路４５と連通している吐出経路へ流送される。洗浄導水部１１を介して、第１の導水経路４５の噴出口４７から洗浄水が噴射されると、その噴射反力により回転洗浄手段８は正回転し、被洗浄物１３に対して主に片側から洗浄水があたる。
【００５０】
次に、分水手段５により、別の吐出経路から、洗浄導水部１１を経て、第２の導水経路４６の噴出口４８から洗浄水が噴射されると、その噴射反力により回転洗浄手段８は反転し、逆回転して、被洗浄物１３に対して、主に、正回転の時とは、反対の向きから洗浄水があたる。
【００５１】
また、噴出口４７、４８の位置や形状は、対称に同一のものを用いなくても様々な方向位置から洗浄水が被洗浄物１３にあたるため、洗浄効率を向上することができる。
【００５２】
分水手段５が、回転洗浄手段８の導水経路９への洗浄水の供給を切換えることで、回転洗浄手段８の回転方向が切換わる。また、噴射位置はもちろん被洗浄物１３に噴射される洗浄水の角度も切換えることが可能となり、被洗浄物１３に対して、いろいろな方向から洗浄水を噴射することができる。したがって、食器洗い機本体１の設置性および被洗浄物１３のセット性が確保され、洗浄効率も向上する。
【産業上の利用可能性】
【００５３】
以上のように、本発明にかかる食器洗い機は、洗浄性能が向上するとともに、本体の設置性と被洗浄物がセットできる容量が確保できるので、家庭用の食器洗い機として有用である。
【図面の簡単な説明】
【００５４】
【図１】本発明の実施の形態１の食器洗い機の一部切欠断面図
【図２】（ａ）同食器洗い機の分水手段の断面図（ｂ）同分水手段の吐出経路の平面図
【図３】（ａ）本発明の実施の形態２の食器洗い機の洗浄導水部の断面図（ｂ）同洗浄導水部のＬ−Ｌ断面図
【図４】（ａ）同食器洗い機の他の例の吐出経路の平面図（ｂ）同分水手段の吐出経路の断面図
【図５】同食器洗い機の他の例の洗浄導水部の断面図
【図６】同食器洗い機の他の例の洗浄導水部の断面図
【図７】（ａ）同食器洗い機の他の例の分水手段の吐出経路の断面図（ｂ）同分水手段のＭ−Ｍ断面図
【図８】本発明の実施の形態３の食器洗い機の要部断面図
【図９】本発明の実施の形態４の食器洗い機の要部断面図
【図１０】同食器洗い機の分水手段の弁体の平面図
【図１１】同食器洗い機の分水手段の断面図
【図１２】同食器洗い機の分水手段の平面図
【図１３】同食器洗い機の分水手段の弁体の切換え動作の説明図
【図１４】本発明の実施の形態５の食器洗い機の回転洗浄手段の平面図
【図１５】従来の食器洗い機の断面図
【符号の説明】
【００５５】
１  本体
２  洗浄槽
４  洗浄ポンプ
５  分水手段
６  吐出経路
７  弁体
８  回転洗浄手段
９  導水経路
１１  洗浄導水部
１２  軸受部
【図１】
2008253545.tif 000003
【図２】
2008253545.tif 000004
【図３】
2008253545.tif 000005
【図４】
2008253545.tif 000006
【図５】
2008253545.tif 000007
【図６】
2008253545.tif 000008
【図７】
2008253545.tif 000009
【図８】
2008253545.tif 000010
【図９】
2008253545.tif 000011
【図１０】
2008253545.tif 000012
【図１１】
2008253545.tif 000013
【図１２】
2008253545.tif 000014
【図１３】
2008253545.tif 000015
【図１４】
2008253545.tif 000016
【図１５】
2008253545.tif 000017